(57)【要約】【課題】バスバーの配索が確実に行われることのできるものとする。【解決手段】バスバー１０の少なくとも一端側に屈曲部１７ａが設けられて、バスバー１０の少なくとも一端部１１に圧接端子部１２が設けられ、圧接端子部１２は、屈曲部１７ａの近傍に設けられ、バスバー１０が取付体５０に配索されるときに、屈曲部１７ａの後方および圧接端子部１２の側方を覆い、圧接端子部１２が傾倒されることを防止する壁６１およびリブ７１が取付体５０に設けられ、取付体５０に対し、圧接端子部１２は、上方に向けられた状態で固定された。前記壁６１は、前記圧接端子部１２のスロット部４２近傍まで立設された。前記取付体５０は、電気接続箱を構成する箱体とされ、前記圧接端子部１２が傾倒されることを防止する前記壁６１および前記リブ７１は、箱体を構成する壁５１Ａに設けられた。【選択図】      図１
2005020907.tif 000002
【特許請求の範囲】
【請求項１】
バスバーの少なくとも一端側に屈曲部が設けられて、該バスバーの少なくとも一端部に圧接端子部が設けられ、該圧接端子部は、該屈曲部の近傍に設けられ、該バスバーが取付体に配索されるときに、該屈曲部の後方および該圧接端子部の側方を覆い、該圧接端子部が傾倒されることを防止する壁およびリブが該取付体に設けられ、該取付体に対し、該圧接端子部は、上方に向けられた状態で固定されたことを特徴とするバスバー装置。
【請求項２】
前記リブは、前記バスバーの前記一端部の前方を覆う延長部を備えることを特徴とする請求項１記載のバスバー装置。
【請求項３】
前記延長部に対応して、前記バスバーに切欠部が設けられたことを特徴とする請求項２記載のバスバー装置。
【請求項４】
前記壁は、前記圧接端子部のスロット部近傍まで立設されたことを特徴とする請求項１〜３の何れか１項に記載のバスバー装置。
【請求項５】
前記取付体は、箱体とされ、前記圧接端子部が傾倒されることを防止する前記壁および前記リブは、該箱体を構成する壁に設けられたことを特徴とする請求項１〜４の何れか１項に記載のバスバー装置。
【請求項６】
前記取付体は、配線板とされ、前記圧接端子部が傾倒されることを防止する前記壁および前記リブは、該配線板を構成する絶縁基板に設けられたことを特徴とする請求項１〜４の何れか１項に記載のバスバー装置。
【請求項７】
請求項１〜６の何れか１項に記載のバスバー装置を備えることを特徴とする電気接続箱。
【発明の詳細な説明】
【０００１】
【発明の属する技術分野】
本発明は、例えば自動車の電子機器などに用いられ、バスバーの配索が確実に行われることのできるバスバー装置および電気接続箱に関するものである。
【０００２】
【従来の技術】
図１０は、従来のブスバー雄端子を示す斜視図である（引用文献１参照）。
回路板５０１上に配設されたブスバー５０３の端部から雄端子５０５が立上げ連成されている。この端子５０５の側面から、屈折されて突出されたストッパ５１１が延設されている。また、このストッパ５１１の下端面は、回路板５０１の上面に当接されている。ストッパ５１１の上端面は、端子５０５の雄形接続部に嵌着される不図示の雌形端子の弾性挟持腕に当接される。
【０００３】
また、図１１は、従来のブスバー雌端子を示す斜視図である（引用文献１参照）。回路板５０２上に配設されたブスバー５０４の端部から雌端子５０６が立上げ連成されている。この端子５０６の側面から、屈折されて突出されたストッパ５１２が延設されている。また、このストッパ５１２の下端面は、回路板５０２の上面に当接されている。ストッパ５１２の上端面は、端子５０６の雌形接続部に設けられた弾性挟持腕５０８に当接されている。
【０００４】
図１０，図１１に示されるブスバー端子形状のものは、ブスバー端子が雄雌いずれの場合においても、雌端子の弾性挟持腕の損傷およびブスバー端子の傾倒が発生されることのないものとされている。
【０００５】
上記形態以外に、例えば引用文献２には、防水効果が大きく、組立も簡単で汚され難い電気接続箱の防水構造について記載されている。
また、引用文献３には、端子収容室などから進入された水滴が、最上層ブスバー回路上に落ち込むことも漏れ込むこともない構造とされ、ブスバー回路およびタブ端子に、リーク電流が発生されることを防止させた電気接続箱について記載されている。
また、特許文献４には、ワイヤハーネスの相互接続に用いられる電気接続箱において、その内部回路を構成する積層ブスバーの改良に関するものが記載されている。
また、特許文献５には、バスバーにレーザー溶接させたタブ端子の溶接外れを防止可能とさせた電気接続箱のバスバー構造について記載されている。
【０００６】
【特許文献１】
実開昭６３−１２８６７２号公報（第１，３頁、第１図〜第５図）
【特許文献２】
実開昭６１−１２６７３０号公報（第２頁、第１，２図）
【特許文献３】
実開昭６３−１７２２１６号公報（第４頁、第１，３図）
【特許文献４】
実開平４−６１４１７号公報（第４頁、第１図）
【特許文献５】
特開平１１−２２０８２５号公報（第２頁、第１図）
【０００７】
【発明が解決しようとする課題】
しかしながら、図１０，図１１に示される上記従来のブスバー端子にあっては、ブスバー端子の傾倒が生じることのないものとされているが、ブスバー端子の形状が簡素化されると共にブスバー端子が傾倒され難いものが要求されてきている。
本発明は、上記した点に鑑み、バスバーの配索が確実に行われることのできるバスバー装置および電気接続箱を提供することを目的とする。
【０００８】
【課題を解決するための手段】
上記目的を達成するために、本発明の請求項１に係るバスバー装置は、バスバーの少なくとも一端側に屈曲部が設けられて、該バスバーの少なくとも一端部に圧接端子部が設けられ、該圧接端子部は、該屈曲部の近傍に設けられ、該バスバーが取付体に配索されるときに、該屈曲部の後方および該圧接端子部の側方を覆い、該圧接端子部が傾倒されることを防止する壁およびリブが該取付体に設けられ、該取付体に対し、該圧接端子部は、上方に向けられた状態で固定されたことを特徴とする。
上記構成により、バスバーに設けられた圧接端子部が、圧接端子部の後方および横に倒されるということは、未然に防止されることとなる。圧接端子部が傾倒されることを防止する壁が、取付体に設けられているから、バスバーが取付体に配索されるときに、バスバーの圧接端子部は、圧接端子部の後方に位置する壁に案内されながら、バスバーの配索が行われることとなる。従って、圧接端子部の後方に向けて、バスバーの圧接端子部が傾倒されるということは、取付体の壁により未然に防止されることとなる。また、バスバーの圧接端子部に電線が圧接されるときに、バスバーが倒されるということは、防止されることとなる。
【０００９】
請求項２に係るバスバー装置は、請求項１記載のバスバー装置において、前記リブは、前記バスバーの前記一端部の前方を覆う延長部を備えることを特徴とする。
上記構成により、圧接端子部が傾倒されることを防止するリブに、バスバーの一端部の前方を覆う延長部が設けられたことにより、バスバーの一端部の圧接端子部が前方に傾倒されるということは、未然に防止されることとなる。従って、バスバーの一端部の圧接端子部は、より安定した状態で取付体に固定されることとなる。
【００１０】
請求項３に係るバスバー装置は、請求項２記載のバスバー装置において、前記延長部に対応して、前記バスバーに切欠部が設けられたことを特徴とする。
上記構成により、バスバーは、容易に取付体に装着可能となる。延長部を備えるリブが設けられた取付体に、バスバーが装着されるときに、リブの延長部に対応した切欠部がバスバーに設けられているから、リブの延長部にバスバーが干渉されるということは回避され、バスバーは、スムーズに取付体に装着されることとなる。
【００１１】
請求項４に係るバスバー装置は、請求項１〜３の何れか１項に記載のバスバー装置において、前記壁は、前記圧接端子部のスロット部近傍まで立設されたことを特徴とする。
上記構成により、バスバーの圧接端子部に電線が圧接されるときに、圧接端子部が傾倒されることを防止する壁と、電線とが干渉されて、圧接端子部に電線が圧接され難くされるということは回避される。圧接端子部が傾倒されることを防止する壁は、電線の圧接作業に影響を及ぼさない程度の高さに設定される。
【００１２】
請求項５に係るバスバー装置は、請求項１〜４の何れか１項に記載のバスバー装置において、前記取付体は、箱体とされ、前記圧接端子部が傾倒されることを防止する前記壁および前記リブは、該箱体を構成する壁に設けられたことを特徴とする。
上記構成により、箱体を構成する壁にバスバーが配索されて、箱体の壁からバスバーの圧接端子部が突出されるときに、箱体を構成する壁に設けられた圧接端子部の傾倒を防止する壁およびリブにより、バスバーの圧接端子部の傾倒は、確実に防止されることとなる。
【００１３】
請求項６に係るバスバー装置は、請求項１〜４の何れか１項に記載のバスバー装置において、前記取付体は、配線板とされ、前記圧接端子部が傾倒されることを防止する前記壁および前記リブは、該配線板を構成する絶縁基板に設けられたことを特徴とする。
上記構成により、バスバーが配線板の絶縁基板に配索されて、配線板の絶縁基板からバスバーの圧接端子部が突出されるときに、絶縁基板に設けられた圧接端子部の傾倒を防止する壁およびリブにより、バスバーの圧接端子部の傾倒は、確実に防止されることとなる。
【００１４】
請求項７に係る電気接続箱は、請求項１〜６の何れか１項に記載のバスバー装置を備えることを特徴とする。
上記構成により、バスバーの圧接端子部が傾倒され難い電気接続箱が提供されることとなる。
また、請求項５記載の発明が請求項７記載の発明に適用されることで、電気接続箱内に装備される配線板の厚さは、薄いものとなる。
【００１５】
【発明の実施の形態】
以下に本発明に係るバスバー装置および電気接続箱の実施の形態を図面に基づいて詳細に説明する。
図１は、本発明に係るバスバー装置の第一の実施形態を示す斜視図、図２は、第一種のバスバーを示す斜視図、図３は、第一種のバスバー及び第二種のバスバー及び第三種のバスバーが取付体に装着された状態を示す斜視図、図８は、本発明に係る電気接続箱の取付体の一実施の形態を示す平面図、図９は、図８のＡ−Ａ断面図である。バスバーは、導電性金属板により電気回路網を構成する。
【００１６】
バスバー１０（図１〜図３），２０（図３）の第一屈曲部１７ａ，２７ａを基準としたときに、第一屈曲部１７ａ，２７ａからバスバー１０，２０の基部１７，２７が延設された側を前方もしくは前側とし、これの反対の方向を後方もしくは後側とする。また、取付体５０（図８）として例示されたインナカバー５０の基壁５１Ａに対し、バスバー１０，２０，３０（図３）の圧接端子部１２，２２，３２が突出された側を上方もしくは上側とし、これの反対の方向を下方もしくは下側とする。また、第一種のバスバー１０から第二種のバスバー２０に沿った方向を左右方向とする。なお、この明細書における「前後」、「上下」、「左右」の定義は、図面を用いてバスバーを説明するための便宜上のものとされる。
【００１７】
バスバー装置の第一の実施形態に用いられる各バスバー１０，２０，３０（図３）について説明する。
先ず、第一種の金属製バスバー１０について説明する。
図１〜図３，図９の如く、バスバー１０の一端側に、略直角に曲げられた第一屈曲部１７ａが設けられている。また、バスバー１０の一端部１１に、圧接端子部１２（図１〜図３）が設けられている。バスバー１０の圧接端子部１２は、バスバー１０の基部１７に連成されたものとして形成されている。バスバー１０の一端部１１と、バスバー１０の基部１７との間に、略直角に折り曲げられた第一屈曲部１７ａが設けられている。バスバー１０の圧接端子部１２は、バスバー１０の第一屈曲部１７ａの近傍から上方に向けて延設された部分とされている。
【００１８】
また、図１〜図３，図９の如く、バスバー１０の他端側に、略直角に曲げられた第二屈曲部１７ｐが設けられている。バスバー１０の他端部１４は、タブ状の雄端子部１５を備えるものとして形成されている。バスバー１０の雄端子部１５は、バスバー１０の基部１７に連成されたものとして形成されている。バスバー１０の他端部１４と、バスバー１０の基部１７との間に、略直角に折り曲げられた第二屈曲部１７ｐが設けられている。
【００１９】
図２の如く、バスバー１０の雄端子部１５は、バスバー１０の第二屈曲部１７ｐから下方に向けて延設された部分とされている。バスバー１０の雄端子部１５は、相手側雌端子（図示せず）に対応した電気接触部１５として形成されている。図９に示す如く、合成樹脂製のインナカバー５０の基壁５１Ａに対し、バスバー１０の雄端子部１５は、下方に向けられた状態で固定される。
【００２０】
図２，図９の如く、バスバー１０の一端部１１と、バスバー１０の他端部１４とは、略平行とされると共に、基部１７から互いに上下逆向きに延設されている。また、バスバー１０の一端部１１およびバスバー１０の他端部１４が延設された方向に対し、略直交する方向に沿ってバスバー１０の基部１７が形成されている。
【００２１】
バスバー１０がインナカバー５０に配索されるときに、バスバー１０の第一屈曲部１７ａ近傍の後方部１７ｂ（図１〜図３）および圧接端子部１２の後方部１３ｂの一部と、バスバー１０の圧接端子部１２の側方部１３ｃの一部とを覆い、バスバー１０の圧接端子部１２が傾倒されることを防止する壁６１（図１，図３）およびリブ７１が、インナカバー５０の基壁５１Ａに設けられている。
【００２２】
各圧接端子部１２の背面側に、バスバー１０の圧接端子部１２の倒れ防止用の壁６１が設けられている。図１の如く、圧接端子部１２の後方部１３ｂは、圧接端子部１２が傾倒されることを防止する壁６１の前面部６１ｂに当接または向い合せられる。また、この壁６１に対して略直交する方向に各リブ７１が突設されている。各リブ７１は、前記壁６１の前方に向けて前記壁６１から突出形成されている。また、各リブ７１は、上下方向に沿って前記壁６１に突設されている。各リブ７１の上下方向の高さと、前記壁６１の上下方向の高さとは、等しい高さとされている。バスバー１０の圧接端子部１２の側方に、リブ７１が位置するものとされている。
【００２３】
バスバー１０がインナカバー５０に配索されるときに、インナカバー５０に対するバスバー１０の座りを確保させるために、インナカバー５０の基壁５１Ａに立設された壁６１に、バスバー１０の倒れを防止する各リブ７１が設けられている。インナカバー５０の基壁５１Ａに対し、バスバー１０の圧接端子部１２は、上方に向けられた状態で固定される。
【００２４】
図２の如く、バスバー１０の基部１７における前後方向の長さＬ３よりも、バスバー１０の一端部１１における上下方向の長さＬ１のほうが、長い寸法に設定されている。また、バスバー１０の基部１７における前後方向の長さＬ３よりも、バスバー１０の他端部１４における上下方向の長さＬ２のほうが、長い寸法に設定されている。このような形態のバスバー１０をインナカバー５０（図１，図３）に安定して装着させるために、壁６１およびリブ７１がインナカバー５０に設けられている。
【００２５】
次に、第二種の金属製バスバー２０について説明する。
図３の如く、バスバー２０の一端側に、略直角に曲げられた第一屈曲部２７ａが設けられている。また、バスバー２０の一端部２１に、圧接端子部２２が設けられている。バスバー２０の圧接端子部２２は、バスバー２０の基部２７に連成されたものとして形成されている。バスバー２０の一端部２１と、バスバー２０の基部２７との間に、略直角に折り曲げられた第一屈曲部２７ａが設けられている。バスバー２０の圧接端子部２２は、バスバー２０の第一屈曲部２７ａの近傍から上方に向けて延設された部分とされている。
【００２６】
また、バスバー２０の他端側に、略直角に曲げられた第二屈曲部２７ｐが設けられている。バスバー２０の他端部２４は、タブ状の雄端子部２５を備えるものとして形成されている。バスバー２０の雄端子部２５は、バスバー２０の基部２７に連成されたものとして形成されている。バスバー２０の他端部２４と、バスバー２０の基部２７との間に、略直角に折り曲げられた第二屈曲部２７ｐが設けられている。
【００２７】
バスバー２０の雄端子部２５は、バスバー２０の第二屈曲部２７ｐから下方に向けて延設された部分とされている。バスバー２０の雄端子部２５は、相手側雌端子（図示せず）に対応した電気接触部２５として形成されている。合成樹脂製のインナカバー５０の基壁５１Ａに対し、バスバー２０の雄端子部２５は、下方に向けられた状態で固定される。
【００２８】
バスバー２０の一端部２１と、バスバー２０の他端部２４とは、略平行とされると共に、基部２７から互いに上下逆向きに延設されている。また、バスバー２０の一端部２１およびバスバー２０の他端部２４が延設された方向に対し、略直交する方向に沿ってバスバー２０の基部２７が形成されている。
【００２９】
バスバー２０がインナカバー５０に配索されるときに、バスバー２０の第一屈曲部２７ａ近傍の後方部２７ｂおよび圧接端子部２２の後方部２３ｂの一部と、バスバー２０の圧接端子部２２の側方部２３ｃの一部とを覆い、バスバー２０の圧接端子部２２が傾倒されることを防止する壁６２およびリブ７２が、インナカバー５０の基壁５１Ａに設けられている。
【００３０】
各圧接端子部２２の背面側に、バスバー２０の圧接端子部２２の倒れ防止用の壁６２が設けられている。また、この壁６２に対して略直交する方向に各リブ７２が突設されている。各リブ７２は、前記壁６２の前方に向けて前記壁６２から突出形成されている。また、各リブ７２は、上下方向に沿って前記壁６２に突設されている。各リブ７２の上下方向の高さと、前記壁６２の上下方向の高さとは、等しい高さとされている。バスバー２０の圧接端子部２２の側方に、リブ７２が位置するものとされている。
【００３１】
バスバー２０がインナカバー５０に配索されるときに、インナカバー５０に対するバスバー２０の座りを確保させるために、インナカバー５０の基壁５１Ａに立設された壁６２に、バスバー２０の倒れを防止する各リブ７２が設けられている。インナカバー５０の基壁５１Ａに対し、バスバー２０の圧接端子部２２は、上方に向けられた状態で固定される。
【００３２】
第二種の金属製バスバー２０（図３）の一端部２１の長さは、第一種の金属製バスバー１０（図２）の一端部１１の長さＬ１と略同じ長さに設定されている。また、第二種の金属製バスバー２０（図３）の他端部２４の長さは、第一種の金属製バスバー１０（図２）の他端部１４の長さＬ２と略同じ長さに設定されている。また、第二種の金属製バスバー２０（図３）の基部２７の長さは、第一種の金属製バスバー１０（図２）の基部１７の長さＬ３と略同じ長さに設定されている。このような形態のバスバー２０（図３）をインナカバー５０に安定して装着させるために、壁６２およびリブ７２がインナカバー５０に設けられている。
【００３３】
バスバー１０，２０の圧接端子部１２，２２が傾倒されることを防止する壁６１，６２およびリブ７１，７２が、インナカバー５０の基壁５１Ａに設けられているから、バスバー１０，２０に設けられた圧接端子部１２，２２が、圧接端子部１２，２２の後方および横に倒されるということは、未然に防止される。
【００３４】
バスバー１０，２０の圧接端子部１２，２２が傾倒されることを防止する壁６１，６２が、インナカバー５０の基壁５１Ａに立設されているから、バスバー１０，２０がインナカバー５０に配索されるときに、バスバー１０，２０の圧接端子部１２，２２は、圧接端子部１２，２２の後方に位置する壁６１，６２やリブ７１，７２に案内されながら、バスバー１０，２０の配索が行われる。
【００３５】
従って、圧接端子部１２，２２の後方または左右に向けて、バスバー１０，２０の圧接端子部１２，２２が傾倒されるということは、インナカバー５０の基壁５１Ａに立設された壁６１，６２により未然に防止される。また、バスバー１０，２０の圧接端子部１２，２２に電線５（図１）が圧接されるときに、バスバー１０，２０（図３）が倒されるということは、防止される。
【００３６】
これにより、バスバー１０，２０の配索が確実に行われることのできるバスバー装置またはバスバーの配索構造を有するものを提供することができる。
第一種のバスバー１０の一端部１１と、第二種のバスバー２０の一端部２１とは、略同じ形状のものとして形成されているが、第一種のバスバー１０の基部１７と、第二種のバスバー２０の基部２７とは、異なる形状のものとされている。また、第一種のバスバー１０の他端部１４（図１）と、第二種のバスバー２０の他端部２４（図３）とは、異なる形状のものとされている。
【００３７】
殆どのバスバー１０の圧接端子部１２の両側方に、一対のリブ７１，７１が位置するものとされている。殆どのバスバー１０の圧接端子部１２の一部は、バスバー１０の傾倒を防止する壁６１の一対のリブ７１，７１間に収容されている。一部のバスバー１０の圧接端子部１２においては、圧接端子部１２の片側だけにリブ７１が位置されたものも設定されている。
【００３８】
図１の如く、リブ７１は、バスバー１０の傾倒を防止する壁６１の前面部６１ｂの根元部７１ｂから前方に向けて先端部７１ａまで突出されている。また、リブ７１は、基壁５１Ａの下端部７１ｄから上方に向けて延長形成され、リブ７１の上端部７１ｃは、バスバー１０の圧接端子部１２が傾倒されることを防止する壁６１の上端部６１ａと同じ高さとされている。各リブ７１は、バスバー１０を案内する略直方体状の突条として形成されている。
【００３９】
例えば各バスバー１０の一端部１１が、インナカバー５０の基壁５１Ａに立設された壁６１の一対のリブ７１，７１間に、隙間なく嵌め付けられていれば、各バスバー１０は、ぐらつくことなく、より確実にインナカバー５０に固定される。
【００４０】
また、殆どのバスバー２０の圧接端子部２２の両側方に、一対のリブ７２，７２が位置するものとされている。殆どのバスバー２０の圧接端子部２２の一部は、バスバー２０の傾倒を防止する壁６２の一対のリブ７２，７２間に収容されている。一部のバスバー２０の圧接端子部２２においては、圧接端子部２２の片側だけにリブ７２が位置されたものも設定されている。
【００４１】
各リブ７２は、バスバー２０を案内する突条として形成されている。
例えば各バスバー２０の一端部２１が、インナカバー５０の基壁５１Ａに立設された壁６２の一対のリブ７２，７２間に、隙間なく嵌め付けられていれば、各バスバー２０は、ぐらつくことなく、より確実にインナカバー５０に固定される。
【００４２】
次に、第三種の金属製バスバー３０について説明する。
バスバー３０の一端側に、略直角に曲げられた第一屈曲部３７ａが設けられている。また、バスバー３０の一端部３１に、圧接端子部３２が設けられている。バスバー３０の圧接端子部３２は、バスバー３０の基部３７に連成されたものとして形成されている。バスバー３０の圧接端子部３２は、バスバー３０の第一屈曲部３７ａの近傍から上方に向けて延設された部分とされている。バスバー３０の一端部３１と、バスバー３０の基部３７との間に、略直角に折り曲げられた第一屈曲部３７ａが設けられている。インナカバー５０の基壁５１Ａに対し、バスバー３０の圧接端子部３２は、上方に向けられた状態で固定される。
【００４３】
また、バスバー３０の他端側に、略直角に曲げられた第二屈曲部３７ｐが設けられている。バスバー３０の他端部３４は、タブ状の雄端子部３５を備えるものとして形成されている。バスバー３０の雄端子部３５は、バスバー３０の基部３７に連成されたものとして形成されている。バスバー３０の他端部３４と、バスバー３０の基部３７との間に、略直角に折り曲げられた第二屈曲部３７ｐが設けられている。
【００４４】
バスバー３０の雄端子部３５は、バスバー３０の第二屈曲部３７ｐから下方に向けて延設された部分とされている。バスバー３０の雄端子部３５は、相手側雌端子（図示せず）に対応した電気接触部３５として形成されている。合成樹脂製のインナカバー５０の基壁５１Ａに対し、バスバー３０の雄端子部３５は、下方に向けられた状態で固定される。
【００４５】
バスバー３０の一端部３１と、バスバー３０の他端部３４とは、略平行とされると共に、基部３７から互いに上下逆向きに延設されている。また、バスバー３０の一端部３１およびバスバー３０の他端部３４が延設された方向に対し、略直交する方向に沿ってバスバー３０の基部３７が形成されている。
【００４６】
第一種のバスバー１０を形成する一端部１１の上下方向の長さや、第二種のバスバー２０を形成する一端部２１の上下方向の長さに比べ、第三種のバスバー３０を形成する一端部３１の上下方向の長さは、短い長さに設定されている。このことから、第三種のバスバー３０の圧接端子部３２が傾倒されることを防止する壁およびリブは、インナカバー５０の基壁５１Ａに設けられておらず省略されている。なお、電気接続箱などの設計仕様などにより、第三種のバスバー３０の圧接端子部３２が傾倒されることを防止する壁およびリブが、インナカバー（５０）の基壁（５１Ａ）に設けられたものも使用可能とされる。
【００４７】
図４は、本発明に係るバスバー装置の第二の実施形態を示す斜視図である。
図１に示す第一の実施形態のバスバー装置に用いられたバスバー１０に対し、図４に示す第二の実施形態のバスバー装置に用いられたバスバー２４０に切欠部２３４が設けられたという点で、バスバー１０（図１）と、バスバー２４０（図４）とは、異なるものとされているが、他の部分において、両者は共通した形状のものとされている。
【００４８】
また、図１に示す第一の実施形態のバスバー装置に用いられたインナカバー５０のリブ７１に対し、図４に示す第二の実施形態のバスバー装置に用いられたインナカバー１５０のリブ２７１は、延長部２７６を備えるものとして形成されている点で、インナカバー５０（図１）と、インナカバー１５０（図４）とは、異なるものとされているが、他の部分において、両者は共通した形状のものとされている。
【００４９】
図５は、第四種のバスバーを示す斜視図である。
図５に示す第四種のバスバー２４０が、図４の如く、取付体１５０として例示されたインナカバー１５０に装着される。
第四種のバスバー２４０は、基部２４７と、この基部２４７から延長形成され且つ圧接端子部１２が設けられた一端部２４１と、前記基部２４７から延長形成され且つタブ状の雄端子部１５として形成された他端部１４とを備えるものとして形成されている。
【００５０】
図５の如く、バスバー２４０の基部２４７における前後方向の長さＬ３よりも、バスバー２４０の一端部２４１における上下方向の長さＬ１のほうが、長い寸法に設定されている。また、バスバー２４０の基部２４７における前後方向の長さＬ３よりも、バスバー２４０の他端部１４における上下方向の長さＬ２のほうが、長い寸法に設定されている。このような形態のバスバー２４０を、より安定した状態でインナカバー１５０（図４）に装着させるために、壁６１と、延長部２７６を備えるリブ２７１とが、インナカバー１５０に設けられている。
【００５１】
図６は、第五種のバスバーを示す斜視図である。
第五種のバスバー２５０も、同じく基部２５７と、この基部２５７から延長形成され且つ圧接端子部１２が設けられた一端部２５１と、前記基部２５７から延長形成され且つタブ状の雄端子部１５として形成された他端部１４とを備えるものとして形成されている。
【００５２】
図６の如く、バスバー２５０の基部２５７における前後方向の長さＬ３よりも、バスバー２５０の一端部２５１における上下方向の長さＬ１のほうが、長い寸法に設定されている。また、バスバー２５０の基部２５７における前後方向の長さＬ３よりも、バスバー２５０の他端部１４における上下方向の長さＬ２のほうが、長い寸法に設定されている。このような形態のバスバー２５０を、より安定した状態でインナカバー１５０（図４）に装着させるために、壁６１と、延長部２７６を備えるリブ２７１とが、インナカバー１５０に設けられている。
【００５３】
図７は、第六種のバスバーを示す斜視図である。
第六種のバスバー２６０も、同じく基部２６７と、この基部２６７から延長形成され且つ圧接端子部１２が設けられた一端部２６１と、前記基部２６７から延長形成され且つタブ状の雄端子部（図示せず）として形成された他端部（図示せず）とを備えるものとして形成されている。
【００５４】
図７の如く、バスバー２６０の基部２６７における前後方向の長さＬ３よりも、バスバー２６０の一端部２６１における上下方向の長さＬ１のほうが、長い寸法に設定されている。このような形態のバスバー２６０を、より安定した状態でインナカバー１５０（図４）に装着させるために、壁６１と、延長部２７６を備えるリブ２７１とが、インナカバー１５０に設けられている。
【００５５】
図１に示されるリブ７１に対し、図４に示されるリブ２７１は、延長部２７６を備えるものとして形成された点で、リブ７１（図１）と、リブ２７１（図４）とは、異なるものとされているが、他の部分において、両者は共通した形状のものとされている。
図４〜図７において、図１〜図３に示される部分と略同一とされる部分については、同一の符号を付しその詳細な説明を省略した。
【００５６】
図４の如く、リブ２７１は、バスバー２４０の一端部２４１に設けられた圧接端子部１２の前方部１３ａの一部を覆う延長部２７６を備えるものとして形成されている。
【００５７】
延長部２７６は、リブ本体２７１ｅの略上半部２７１ｆに設けられている。また、延長部２７６は、リブ２７１の先端部２７１ａに位置する根元部２７６ｂから壁６１に沿って延長部２７６の先端部２７６ａまで延設されている。延長部２７６の根元部２７６ｂは、リブ２７１の曲部２７６ｂとして形成されている。図示される如く、一対の延長部２７６が、リブ２７１の先端部２７１ａから一対のリブ２７１の内側に向けて延ばされている。延長部２７６を備えるリブ２７１は、略鉤状に形成されている。
【００５８】
図４に示される第四種のバスバー２４０（図５）に代えて、例えば図６に示される第五種のバスバー２５０が、図４に示されるバスバー装置に用いられたものも使用可能とされる。また、図４に示される第四種のバスバー２４０（図５）に代えて、例えば図７に示される第六種のバスバー２６０が、図４に示されるバスバー装置に用いられたものも使用可能とされる。
【００５９】
圧接端子部１２が傾倒されることを防止するリブ２７１に、バスバー２４０，２５０，２６０の一端部２４１，２５１，２６１の圧接端子部１２の前方部１３ａの一部を覆う延長部２７６が設けられたことにより、バスバー２４０，２５０，２６０の一端部２４１，２５１，２６１の圧接端子部１２が前方に傾倒されるということは、未然に防止される。従って、バスバー２４０，２５０，２６０の一端部２４１，２５１，２６１の圧接端子部１２は、より安定した状態でインナカバー１５０に固定される。
【００６０】
図４の如く、一対の延長部２７６の先端部２７６ａは、離されて位置するものとされている。設計仕様などにより、例えば延長部（２７６）が一側のリブ本体（２７１ｅ）から他側のリブ本体（２７１ｅ）にかけて、左右方向に連結されたものも使用可能とされる。
【００６１】
図４に示される前記一対の延長部２７６に対応して、図４，図５の如く、第四種のバスバー２４０に一対の切欠部２３４が設けられている。この切欠部２３４は、バスバー２４０の基部２４７からバスバー２４０の一端部２４１にかけて連成されている。図５の如く、バスバー２４０の基部２４７に段差部１７ｔが設けられ、バスバー２４０の一端部２４１に段差部１７ｕが設けられることで、バスバー２４０に切欠部２３４が形成されている。
【００６２】
図５に示す第四種のバスバー２４０が、インナカバー１５０（図４）の上側から図５に示される状態の姿勢で略垂直に降ろされてインナカバー１５０（図４）に装着されるときに、前記一対の切欠部２３４（図５）によりバスバー２４０の基部２４７に形成された括れ部２４８が、一対の延長部２７６の先端部２７６ａ間を通過し、さらにバスバー２４０が下降されることで、バスバー２４０は、インナカバー１５０（図４）に容易に取り付けられる。
【００６３】
バスバー（２４０）の設計仕様などにより、例えば次の手順により、図５に示す第四種のバスバー（２４０）を、図４に示すインナカバー（１５０）に装着させることも可能とされる。まず図５に示される姿勢の第四種のバスバー（２４０）を、図４に示すインナカバー（１５０）の壁（６１）の前側から後側に略平行移動させて、前記一対の切欠部（２３４）（図５）によりバスバー（２４０）の一端部（２４１）に形成された括れ部（２４８）を、一対の延長部（２７６）（図４）の先端部（２７６ａ）間に通過させる。次に、図５に示される姿勢でバスバー（２４０）を略垂直に降ろし、バスバー（２４０）をインナカバー（１５０）（図４）に装着させるといった取付方法も実施可能とされる。
【００６４】
また、図４に示される前記一対の延長部２７６に対応して、図６の如く、第五種のバスバー２５０に一対の切欠部２３５が設けられている。この切欠部２３５は、バスバー２５０の基部２５７に設けられている。バスバー２５０の基部２５７に段差部１７ｔが設けられることで、バスバー２５０に切欠部２３５が形成されている。
【００６５】
例えば図６に示す第五種のバスバー２５０が、インナカバー１５０（図４）の上側から図６に示される状態の姿勢で略垂直に降ろされてインナカバー１５０（図４）に装着されるときに、前記一対の切欠部２３５（図６）によりバスバー２５０の基部２５７に形成された括れ部２５８が、一対の延長部２７６（図４）の先端部２７６ａ間を通過し、さらにバスバー２５０が下降されることで、バスバー２５０は、インナカバー１５０（図４）に容易に取り付けられる。
【００６６】
また、図４に示される前記一対の延長部２７６に対応して、図７の如く、第六種のバスバー２６０に一対の切欠部２３６が設けられている。この切欠部２３６は、バスバー２６０の一端部２６１に設けられている。バスバー２６０の一端部２６１に段差部１７ｕが設けられることで、バスバー２６０に切欠部２３６が形成されている。
【００６７】
次の手順により、図７に示す第六種のバスバー２６０を、インナカバー１５０（図４）に装着させる。まず図７に示される姿勢の第六種のバスバー２６０を、インナカバー１５０（図４）の壁６１の前側から後側に略平行移動させて、前記一対の切欠部２３６（図７）によりバスバー２６０の一端部２６１に形成された括れ部２６８を、一対の延長部２７６（図４）の先端部２７６ａ間に通過させる。次に、図７に示される姿勢でバスバー２６０を略垂直に降ろし、バスバー２６０をインナカバー１５０（図４）に装着させる。
【００６８】
前記切欠部２３４（図５），２３５（図６），２３６（図７）がバスバー２４０（図５），２５０（図６），２６０（図７）に設けられていれば、バスバー２４０，２５０，２６０は、容易で迅速にインナカバー１５０（図４）に装着可能となる。
【００６９】
延長部２７６を備えるリブ２７１が設けられたインナカバー１５０に、バスバー２４０，２５０，２６０が装着されるときに、リブ２７１の延長部２７６に対応した切欠部２３４，２３５，２３６が、バスバー２４０，２５０，２６０に設けられているから、リブ２７１の延長部２７６にバスバー２４０，２５０，２６０が干渉されるということは回避され、バスバー２４０，２５０，２６０は、スムーズにインナカバー１５０に装着される。
【００７０】
このように、バスバーの基部もしくは一端部の何れか一方、又は、バスバーの基部および一端部に、一対の切欠部が設けられていれば、バスバーは、容易にインナカバー１５０（図４）に装着されることとなる。
【００７１】
電気接続箱などの設計仕様などにより、例えば上記バスバー１０，２０，３０，２４０，２５０，２６０の他端部１４，２４，３４に設けられたタブ状雄端子部１５，２５，３５に代えて、上記圧接端子部（１２），（２２），（３２）が、バスバー（１０），（２０），（３０）の他端部（１４），（２４），（３４）に設けられたものも使用可能とされる。
【００７２】
電気接続箱は、コネクタ、リレー、ヒューズなどが、電線、バスバーなどによって通電可能に接続されて回路が構成され、これらのものがカバーなどの箱体内に組み付けられて構成された箱状のものとされている。電気接続箱は、一般にワイヤハーネスを分割させるものとして用いられる。
【００７３】
図１，図４の如く、電線５は、電気信号などが送信される導体５ａの周囲に、前記導体５ａを保護する絶縁被覆体５ｂが設けられることで構成された線状体とされている。絶縁被覆体５ｂを備える電線５に代えて、例えば導体だけの裸電線（図示せず）や、導体の表面に例えばエナメル材の層が設けられた電線（図示せず）も使用可能とされる。
【００７４】
各圧接端子部１２，２２，３２（図３）は、電線５（図１，図４）が圧接端子部１２，２２，３２に圧接されるときに、電線５の絶縁被覆体５ｂが切り込まれて電線５の導体５ａを露出させると共にスロット部４２に圧接収容させる一対の圧接刃部４０（図１〜図７）を備えるものとして形成されている。
【００７５】
また、各圧接端子部１２（図１，図４），２２，３２（図３）の圧接刃部４０は、電線５（図１，図４）が圧接収容されるスロット部４２と、電線５がスロット部４２に挿着され易いものとさせる内側の電線案内用の傾斜部４１ａと、上側の端部４１ｃと、外側の傾斜部４１ｂとを備えるものとして形成されている。
【００７６】
圧接刃部４０の外側の傾斜部４１ｂは、作業者によってバスバー１０，２０，３０が取り扱われるときに、作業者が手に怪我をするといった心配がなく、安心して作業者がバスバー１０，２０，３０を取り扱うことができるようにされた面取り部４１ｂとされている。
【００７７】
圧接接続が行われるときに、圧接端子部１２（図１，図４），２２，３２（図３）を構成する一対の圧接刃部４０，４０およびスロット部４２により、電線５（図１，図４）の絶縁被覆体５ｂが切り込まれることで、絶縁被覆体５ｂ内の導体５ａと、圧接端子部１２，２２，３２（図３）のスロット部４２とが通電可能に接触される。このような状態で、電線５（図１，図４）は、スロット部４２に圧接収容される。スロット部４２は、略Ｕ字状に形成され、スロット部４２の奥端部４２ａは、略湾曲状に形成されている。
【００７８】
バスバー３０（図３）の圧接端子部３２に、インナカバー５０の基壁５１Ａに対する第一層の電線５（図１）が圧接接続される。また、バスバー１０（図１〜図３）の圧接端子部１２と、バスバー２０（図３）の圧接端子部２２とに、インナカバー５０の基壁５１Ａに対する第二層の電線５（図１）が圧接接続される。
【００７９】
図１，図３，図４の如く、バスバー１０の圧接端子部１２が傾倒されることを防止する壁６１は、インナカバーの基壁５１Ａから上側に向けて立設され、この壁６１の上端部６１ａは、圧接端子部１２のスロット部４２の奥端部４２ａ近傍まで立設されている。バスバー１０の圧接端子部１２が傾倒されることを防止する壁６１は、圧接端子部１２のスロット部４２に干渉されない高さまで延設されている。圧接端子部１２のスロット部４２の奥端部４２ａ（図１，図４）は、バスバーの圧接端子部１２が傾倒されることを防止する壁６１の上端部６１ａよりも上側に位置するものとされている。
【００８０】
また、図３の如く、バスバー２０の圧接端子部２２が傾倒されることを防止する壁６２は、インナカバー５０の基壁５１Ａから上側に向けて立設され、この壁６２の上端部６２ａは、圧接端子部２２のスロット部４２の奥端部４２ａ近傍まで立設されている。バスバー２０の圧接端子部２２が傾倒されることを防止する壁６２は、圧接端子部２２のスロット部４２に干渉されない高さまで延設されている。圧接端子部２２のスロット部４２の奥端部４２ａ（図１）は、バスバー２０（図３）の圧接端子部２２が傾倒されることを防止する壁６２の上端部６２ａよりも上側に位置するものとされている。
【００８１】
圧接端子部１２，２２が傾倒されることを防止する壁６１，６２の高さが制限されることで、バスバー１０，２０，２４０，２５０，２６０の圧接端子部１２（図１〜図７），２２（図３）に電線５（図１，図４）が圧接されるときに、圧接端子部１２，２２が傾倒されることを防止する壁６１，６２と、電線５とが干渉されて、圧接端子部１２，２２に電線５が圧接され難くされるということは回避される。圧接端子部１２，２２が傾倒されることを防止する壁６１，６２は、電線５の圧接作業に影響を及ぼさない程度の高さに設定されている。
【００８２】
図８および図９の如く、インナカバー５０は、電気接続箱１の箱体を構成する一部のものとされている。例えば、インナカバー５０や、インナカバー５０が組み付けられるロアカバー（図示せず）や、前記ロアカバーに組み付けられるアッパカバー（図示せず）に、各種電気・電子部品や、各種機器などが装備され、インナカバー５０と、不図示のロアカバーと、不図示のアッパカバーとが組み上げられることで、電気接続箱１が構成される。
【００８３】
図１，図３，図４の如く、圧接端子部１２が傾倒されることを防止する壁６１およびリブ７１（図１，図３），２７１（図４）は、電気接続箱１の箱体を構成するインナカバーの基壁５１Ａ上に突設されている。また、図３の如く、圧接端子部２２が傾倒されることを防止する壁６２およびリブ７２も、同じく電気接続箱１の箱体を構成するインナカバー５０の基壁５１Ａ上に突設されている。
【００８４】
電気接続箱１の箱体を構成するインナカバーの基壁５１Ａ上に、圧接端子部１２，２２の傾倒を防止する壁６１，６２およびリブ７１，７２（図３），２７１（図４）が設けられていれば、インナカバー５０，１５０の基壁５１Ａ上にバスバー１０，２０，２４０，２５０，２６０が配索されて、インナカバー５０，１５０の基壁５１Ａからバスバー１０，２０，２４０，２５０，２６０の圧接端子部１２，２２が突出されるときに、インナカバー５０，１５０の基壁５１Ａに設けられた圧接端子部１２，２２の傾倒を防止する壁６１，６２およびリブ７１，７２，２７１により、バスバー１０，２０，２４０，２５０，２６０の圧接端子部１２，２２の傾倒は、確実に防止される。
【００８５】
例えば箱体を構成するインナカバー（５０）（図３，図８，図９）の側壁（５２Ａ）が、圧接端子部１２，２２の傾倒を防止する壁（６１），（６２）を兼ねたものとして形成され、圧接端子部１２，２２の傾倒を防止するリブ（７１），（７２）が、インナカバー（５０）の側壁（５２Ａ）に設けられたものも使用可能とされる。
【００８６】
また、例えば射出成形が可能な熱可塑性の合成樹脂材料が用いられて上記インナカバー５０，１５０が射出成形され、圧接端子部１２，２２の傾倒を防止する壁６１，６２およびリブ７１，７２，２７１は、インナカバー５０，１５０に一体成形されたものとして形成されていれば、製造工程が煩雑化されるということは回避され、圧接端子部１２，２２の傾倒を防止する壁６１，６２およびリブ７１，７２，２７１を備えるインナカバー５０，１５０は、効率よく大量に生産されることとなる。
【００８７】
図８，図９の如く、インナカバー５０は、略矩形状の基壁５１Ａと、この基壁５１Ａに対し略直交し、この基壁５１Ａの周縁部に設けられた各側壁５２Ａ，５２Ｂ，５２Ｃ（図８）と、前記基壁５１Ａから延設される段差壁５１Ｂ（図９）と、前記段差壁５１Ｂから延設される他の段差壁５１Ｃと、前記側壁５２Ａから延設され前記基壁５１Ａと略平行とされる他の壁５１Ｄ前記他の壁５１Ｄの外周縁部に設けられた他側壁５２Ｄとを備えるものとして形成されている。
【００８８】
インナカバー５０の基壁５１Ａを補強する各リブ５１ｒ（図３，図８，図９）が、インナカバー５０の基壁５１Ａの上側に設けられている。符号５７（図８，図９）は、例えば相手組付け体（図示せず）に対する取付部５７とされる。また、インナカバー５０が、例えば相手側カバー（図示せず）等と係合されるための各係止部５８（図８）、係合部５９Ａ，５９Ｂが、インナカバー５０に設けられている。
【００８９】
インナカバーの基壁５１Ａ（図１，図４）の上側に、バスバー１０（図２），２０（図３），３０（図３），２４０（図５），２５０（図６），２６０（図７）に対応した凹部８１（図１，図３，図４），８２，８３（図３）が設けられている。凹部８１，８２，８３の下側に、バスバー１０，２０，３０，２４０，２５０，２６０の基部１７，２７，３７，２４７，２５７，２６７を支える座８０（図９）が設けられている。
【００９０】
また、各凹部８１，８２，８３に、ハウジング部９０（図９）の収容部９２に続く開口部（図示せず）が設けられている。不図示の前記開口部は、バスバー１０，２０，３０，２４０，２５０，２６０の他端部１４，２４，３４を形成する雄端子部１５，２５，３５が、インナカバーの基壁５１Ａを挿通可能な貫通孔として設けられている。
【００９１】
また、上記バスバー１０，２０，３０，２４０，２５０，２６０の基部１７，２７，３７，２４７，２５７，２６７に、段差部１７ｓ（図１〜図７），２７ｓ，３７ｓ（図３）が設けられている。バスバー１０，２０，３０の段差部１７ｓ，２７ｓ，３７ｓに対応して、上記インナカバーの基壁５１Ａ（図１，図３，図４）の凹部８１，８２，８３に、段差部８１ｓ（図１，図３，図４），８２ｓ，８３ｓ（図３）が設けられている。
【００９２】
例えば各バスバーの基部が、インナカバーの基壁５１Ａの凹部８１（図１，図４），８２（図３），８３（図３）に、隙間なく嵌め付けられていれば、各バスバー１０（図２），２０（図３），３０（図３），２４０（図５），２５０（図６），２６０（図７）は、ぐらつくことなく確実にインナカバーに固定される。
【００９３】
各バスバーは、インナカバーの基壁５１Ａの各凹部８１（図１，図３，図４），８２（図３），８３（図３）の下側に設けられた開口部（図示せず）から延出される。
【００９４】
図９の如く、インナカバー５０の下方に、各バスバー１０，２０，３０の雄端子部１５，２５，３５を取り囲むハウジング部９０が設けられている。
上記各バスバー１０，２０，３０の雄端子部１５，２５，３５は、全てインナカバー５０の下側の設けられたハウジング部９０（図９）の収容部９２内に位置するものとされている。
【００９５】
インナカバー５０のハウジング部９０（図９）は、圧接端子部１２，２２，３２（図３）および雄端子部１５，２５，３５を有するバスバー１０，２０，３０が装着されるインナカバー５０の基壁５１Ａの一部と、全ての雄端子部１５，２５，３５を囲む周壁９１（図９）とを備えるものとして形成されている。
【００９６】
インナカバー５０のハウジング部９０に各バスバー１０，２０，３０（図３）が装着されて、前記ハウジング部内に各バスバー１０，２０，３０の雄端子部１５，２５，３５が位置することで、インナカバー５０にコネクタ部１００（図９）が構成される。このコネクタ部１００に、相手側コネクタ（図示せず）が取り付けられる。
【００９７】
各バスバー１０，２０，３０，２４０，２５０，２６０の雄端子部１５，２５，３５は、ＥＣＵターミナルとされている。ＥＣＵは、電子制御装置を意味し、「ｅｌｅｃｔｒｏｎｉｃ  ｃｏｎｔｒｏｌ  ｕｎｉｔ  」の略称とされる。
インナカバー５０（図９）の上方側の空間部５５ａに各電線５（図１）などが配索される。また、インナカバー５０の下方側の空間部５５ｂに、ＥＣＵ（図示せず）などの電子ユニットなどが装備される。
【００９８】
また、電気接続箱１の箱体内に、配線板（図示せず）などが収容される。配線板は、バスバー、電線などが保持され、絶縁機能を備えたプレート状のものとされている。
例えば前記インナカバー５０に代えて、圧接端子部１２，２２が傾倒されることを防止する壁（６１），（６２）およびリブ（７１），（７２）は、不図示の配線板を構成する絶縁基板（図示せず）に設けられたものも使用可能とされる。また、例えば図４に示すインナカバー１５０に代えて、圧接端子部１２が傾倒されることを防止する壁（６１）およびリブ（２７１）は、不図示の配線板を構成する絶縁基板（図示せず）に設けられたものも使用可能とされる。
【００９９】
前記インナカバー５０，１５０に代えて、前記配線板を構成する前記絶縁基板に、圧接端子部１２，２２が傾倒されることを防止する壁（６１），（６２）およびリブ（７１），（７２），（２７１）が設けられていれば、バスバーが前記配線板の前記絶縁基板に配索されて、配線板の絶縁基板からバスバーの圧接端子部が突出されるときに、絶縁基板に設けられた圧接端子部の傾倒を防止する壁（６１），（６２）およびリブ（７１），（７２），（２７１）により、バスバーの圧接端子部の傾倒は、確実に防止される。
【０１００】
上記バスバー装置またはバスバーの配索構造を有するものは、インナカバー５０（図１，図８，図９），１５０（図４）などが組み付けられる電気接続箱１に備えられる。これにより、バスバーの圧接端子部が傾倒され難い電気接続箱１が提供される。
【０１０１】
また、圧接端子部の傾倒を防止する壁（６１），（６２）およびリブ（７１），（７２），（２７１）は、電気接続箱１の箱体内部に装備される不図示の配線板の絶縁基板に設けられることなく省略され、電気接続箱１の箱体を構成するインナカバーの基壁５１Ａや側壁５２Ａなどの部分に、圧接端子部の傾倒を防止する壁６１，６２およびリブ７１，７２，２７１が設けられていれば、電気接続箱１内に装備される不図示の配線板の厚さは、薄いものとさせることができる。
【０１０２】
電気接続箱１の箱体内部に、不図示の配線板、電子ユニット、電子機器などの各種電気・電子部品などが収容される。このような電気接続箱は、例えば自動車などの各電気配線に接続されるジャンクションボックス（Ｊ／Ｂと略称する）として用いられる。
【０１０３】
【発明の効果】
以上の如く、請求項１記載の発明によれば、バスバーに設けられた圧接端子部が、圧接端子部の後方および横に倒されるということを、未然に防止させることができる。圧接端子部が傾倒されることを防止する壁が、取付体に設けられているから、バスバーが取付体に配索されるときに、バスバーの圧接端子部は、圧接端子部の後方に位置する壁に案内されながら、バスバーの配索が行われる。従って、圧接端子部の後方に向けて、バスバーの圧接端子部が傾倒されるということは、取付体の壁により未然に防止される。また、バスバーの圧接端子部に電線が圧接されるときに、バスバーが倒されるということを防止させることができる。
【０１０４】
請求項２記載の発明によれば、圧接端子部が傾倒されることを防止するリブに、バスバーの一端部の前方を覆う延長部が設けられたことにより、バスバーの一端部の圧接端子部が前方に傾倒されるということは、未然に防止される。従って、バスバーの一端部の圧接端子部を、より安定した状態で取付体に固定させることができる。
【０１０５】
請求項３記載の発明によれば、容易にバスバーを取付体に装着させることができる。延長部を備えるリブが設けられた取付体に、バスバーが装着されるときに、リブの延長部に対応した切欠部がバスバーに設けられているから、リブの延長部にバスバーが干渉されるということは回避され、バスバーは、スムーズに取付体に装着される。
【０１０６】
請求項４記載の発明によれば、バスバーの圧接端子部に電線が圧接されるときに、圧接端子部が傾倒されることを防止する壁と、電線とが干渉されて、圧接端子部に電線が圧接され難くされるということを回避させることができる。圧接端子部が傾倒されることを防止する壁は、電線の圧接作業に影響を及ぼさない程度の高さに設定される。
【０１０７】
請求項５記載の発明によれば、箱体を構成する壁にバスバーが配索されて、箱体の壁からバスバーの圧接端子部が突出されるときに、箱体を構成する壁に設けられた圧接端子部の傾倒を防止する壁およびリブにより、バスバーの圧接端子部の傾倒は、確実に防止される。
【０１０８】
請求項６記載の発明によれば、バスバーが配線板の絶縁基板に配索されて、配線板の絶縁基板からバスバーの圧接端子部が突出されるときに、絶縁基板に設けられた圧接端子部の傾倒を防止する壁およびリブにより、バスバーの圧接端子部の傾倒は、確実に防止される。
【０１０９】
請求項７記載の発明によれば、バスバーの圧接端子部が傾倒され難い電気接続箱を提供することができる。
また、請求項５記載の発明が請求項７記載の発明に適用されることで、電気接続箱内に装備される配線板の厚さを薄くさせることができる。
【図面の簡単な説明】
【図１】本発明に係るバスバー装置の第一の実施形態を示す斜視図である。
【図２】第一種のバスバーを示す斜視図である。
【図３】第一種のバスバー及び第二種のバスバー及び第三種のバスバーが取付体に装着された状態を示す斜視図である。
【図４】本発明に係るバスバー装置の第二の実施形態を示す斜視図である。
【図５】第四種のバスバーを示す斜視図である。
【図６】第五種のバスバーを示す斜視図である。
【図７】第六種のバスバーを示す斜視図である。
【図８】本発明に係る電気接続箱の取付体の一実施の形態を示す平面図である。
【図９】図８のＡ−Ａ断面図である。
【図１０】従来のブスバー雄端子を示す斜視図である。
【図１１】従来のブスバー雌端子を示す斜視図である。
【符号の説明】
１              電気接続箱
１０            第一種のバスバー（バスバー）
１１，２１，２４１，２５１，２６１  一端部
１２，２２      圧接端子部
１３ｃ，２３ｃ  側方部
１７ａ，２７ａ  第一屈曲部（屈曲部）
１７ｂ，２７ｂ  後方部
２０            第二種のバスバー（バスバー）
４２            スロット部
５０，１５０    インナカバー（取付体）
５１Ａ          基壁（壁）
６１，６２      壁
７１，７２，２７１      リブ
２３４，２３５，２３６  切欠部
２４０          第四種のバスバー（バスバー）
２５０          第五種のバスバー（バスバー）
２６０          第六種のバスバー（バスバー）
２７６          延長部
【図１】
2005020907.tif 000003
【図２】
2005020907.tif 000004
【図３】
2005020907.tif 000005
【図４】
2005020907.tif 000006
【図５】
2005020907.tif 000007
【図６】
2005020907.tif 000008
【図７】
2005020907.tif 000009
【図８】
2005020907.tif 000010
【図９】
2005020907.tif 000011
【図１０】
2005020907.tif 000012
【図１１】
2005020907.tif 000013